(57)【要約】      （修正有）【課題】ろうそくとは異なる、装飾的な照明効果が得られる点灯仏具を提供する。【解決手段】点灯仏具は、点灯ユニット１１と、点灯ユニット１１の前側に設けられ透光材料からなる装飾部１２と、点灯ユニット１１により電力を供給され、装飾部１２に向けて発光する発光素子１３とを備える。点灯ユニット１１は、電源として乾電池１４を有し、乾電池１４よりの電力の供給により発光素子１３を点灯させるスイッチ１５と、発光素子１３を装飾部１２に対し進退させる素子移動手段とを有する。装飾部１２は、蓮の花の形状をしている。【選択図】図３
0003216574.tif 000002
【実用新案登録請求の範囲】
【請求項１】
透光材料からなる装飾部と、電池を電源として前記装飾部に向けて発光する発光素子を有する点灯ユニットと、前記電池よりの電力の供給により前記発光素子を点灯させるスイッチとを備える点灯仏具であって、
前記点灯ユニットは、前記発光素子を、前記電池とともに前記装飾部に対し進退させる素子移動手段とを備えることを特徴とする点灯仏具。
【請求項２】
前記点灯ユニットは、前記装飾部が取り付けられる外筒と、前記外筒内にスライド可能に設けられた内筒とを備え、
前記内筒は、前記電池を収納し、前記外筒側の端部に前記発光素子が設けられ、
前記素子移動手段は、前記外筒と前記内筒との間に設けられたスライド機構である、請求項１記載の点灯仏具。
【請求項３】
さらに、開口を有する花瓶状の容器を備え、
前記装飾部は、外径が前記容器の開口の内径よりも大きく形成されており、
前記点灯ユニットが前記容器内に挿入され、前記点灯ユニットが鉛直状態に支持された状態で使用される、請求項２記載の点灯仏具。
【請求項４】
前記装飾部は、複数の花びらを有する蓮の花の形状をしている、請求項１〜３のいずれか１項に記載の点灯仏具。
【考案の詳細な説明】
【技術分野】
【０００１】
本考案は、点灯仏具に関するものである。
【背景技術】
【０００２】
従来、仏壇等に置かれるろうそく、あるいは輪灯などはマッチ、ライタ−等を用いて実際に火を起こすため、取扱不注意から、時には火災が起きるという問題があり、それに対処するため発光体（ＬＥＤ）を炎の代わりに取り付けた電子ろうそくが知られている（例えば、特許文献１参照）。
【０００３】
そのような電子ろうそくは、燭台と、該燭台に起立状態に一体状に連結される筒状ろうそく本体と、該ろうそく本体の上端に付設される透光性炎形ケースと、該炎形ケース内に収納される発光体を備え、乾電池を電源としてスイッチ機構のオン／オフにより上記発光体を点灯／消灯させるものである。そして、上記ろうそく本体と上記燭台にて上下連結状空室部を形成し、該空室部の上記ろうそく本体及び上記燭台にわたって乾電池を収納し、上記スイッチ機構を、上記炎形ケースを押圧することにより、上記オン／オフ切換え自在に構成するとともに、上記上下連結状空室部の上方部位に設け、上記ろうそく本体は、下端に外鍔状係止突部を有し、該係止突部が上記燭台の内面に形成された段付部に係止して、上記ろうそく本体が上記燭台から抜けるのを防止するように構成し、上記燭台が下端に開閉自在な底蓋を有し、該底蓋の閉鎖状態に於て、乾電池を上記上下連結状空室部に収納・保持可能であって、該底蓋の開放状態に於て、乾電池を出し入れ可能に構成し、上記底蓋は、上記燭台の下端に設けられた一対の対向する孔の一方に係止可能な係止用突片部と、上記一対の対向する孔の他方に弾発的に係止可能な弾発係止部を、有するものである。
【先行技術文献】
【特許文献】
【０００４】
【特許文献１】特開平９−７４１１号公報
【考案の概要】
【考案が解決しようとする課題】
【０００５】
特許文献１記載のものは、ろうそく本体の上端に、発光体を収納する透光性炎形ケースが付設され、乾電池を電源としてスイッチ機構のオン／オフにより上記発光体を点灯／消灯させるものである。
【０００６】
考案者は、ろうそく本体の上端に透光性炎形ケースを設けるのではなく、透光材料からなる装飾部を設け、前記装飾部に向けて発光素子が発光するようにすれば、新しい、装飾的な照明効果の点灯仏具が得られることに着想し、本考案をなしたものである。
【０００７】
本考案は、ろうそくとは異なる、装飾的な照明効果が得られる点灯仏具を提供することを目的とする。
【課題を解決するための手段】
【０００８】
請求項１の考案は、透光材料からなる装飾部と、電池を電源として前記装飾部に向けて発光する発光素子を有する点灯ユニットと、前記電池よりの電力の供給により前記発光素子を点灯させるスイッチとを備える点灯仏具であって、前記点灯ユニットは、前記発光素子を、前記電池とともに前記装飾部に対し進退させる素子移動手段とを備える、ことを特徴とする。
【０００９】
このようにすれば、素子移動手段によって装飾部と発光素子との距離を変更するようにしているので、装飾部を通じての光の拡散の程度を変更することが可能となり、ろうそくとは異なる、装飾的な照明効果が得られる。
【００１０】
請求項２に記載のように、前記点灯ユニットは、前記装飾部が取り付けられる外筒と、前記外筒内にスライド可能に設けられた内筒とを備え、前記内筒は、前記電池を収納し、前記外筒側の端部に前記発光素子が設けられ、前記素子移動手段は、前記外筒と前記内筒との間に設けられたスライド機構である、ことが望ましい。
【００１１】
このようにすれば、外筒に対し内筒をスライドさせるスライド機構を用いることで、素子移動手段を簡単に形成することができる。
【００１２】
請求項３に記載のように、さらに、開口を有する花瓶状の容器を備え、前記装飾部は、外径が前記容器の開口の内径よりも大きく形成されており、前記点灯ユニットが前記容器内に挿入され、前記点灯ユニットが鉛直状態に支持された状態で使用される、ことが望ましい。
【００１３】
このようにすれば、花瓶状の容器との組み合わせで、装飾的な照明効果をより高めることができる。
【００１４】
請求項４に記載のように、前記装飾部は、蓮の花の形状をしている、ことが望ましい。
【００１５】
このようにすれば、仏具としての機能を損なうことなく、装飾的な照明効果を確保ができる。
【考案の効果】
【００１６】
本考案は、素子移動手段によって装飾部と発光素子との距離を変更するようにしているので、装飾部を通じての光の拡散の程度を変更することが可能となり、ろうそくとは異なる、装飾的な照明効果を得ることができる。
【図面の簡単な説明】
【００１７】
【図１】本考案に係る点灯仏具の一実施の形態を示す正面図である。
【図２】同底面図である。
【図３】前記点灯仏具において、発光素子の位置を変化させるスライド機構（素子移動手段）の説明図である。
【考案を実施するための形態】
【００１８】
以下、本考案の実施の形態を図面に沿って説明する。
【００１９】
図１は本考案に係る点灯仏具の一実施の形態を示す正面図、図２は同底面図である。
【００２０】
図１及び図２に示すように、点灯仏具１は、点灯ユニット１１と、点灯ユニット１１の前側に設けられ透光材料からなる装飾部１２とを備える。
【００２１】
点灯ユニット１１は、装飾部１２に向けて発光する発光素子１３と、電源としての乾電池１４（あるいは充電池）と、発光素子１３に乾電池１４を電気的に接続し乾電池１４よりの電力の供給により発光素子１３を点灯させるスイッチ１５と、発光素子１３を乾電池１４とともに、装飾部１２に対し進退させる素子移動手段とを備える。装飾部１２は、例えば蓮の花の形状をし、仏具としての機能を損なわないようになっている。また、装飾部１２は、筒状の連結部材１６を介して点灯ユニット１１に連結されている。
【００２２】
点灯ユニット１１のユニットケーシングは、装飾部１２が連結部材１６を介して先端部に取り付けられる外筒１１Ａと、外筒１１Ａ内にスライド可能に設けられた内筒１１Ｂとを備える。内筒１１Ｂは、乾電池１４を収納し、外筒１１Ａ側の端部に発光素子１３（例えば、ＬＥＤ）が設けられている。これにより発光素子１３を乾電池１４とともに、装飾部１２に対し進退させる素子移動手段が構成されている。具体的には、例えば図３に示すように、外筒１１Ａ内面に長穴１１Ａａが形成され、内筒１１Ｂの内面に長穴１１Ａａにスライド可能に係合するピン１１Ｂａが設けられている。長穴１１ＡａとピンＢａとの関係を利用し、外筒１１Ａに対し内筒１１Ｂをスライドさせるスライド機構としている。なお、そのようなスライド機構は、図３に示すものに限らず、発光素子１３を乾電池１４とともに、装飾部１２に対し進退させることができればよく、周知の機構を採用でき、特に制限されない。
【００２３】
また、点灯ユニット１１は、花瓶状の容器２１内に挿入することで、点灯仏具１は、鉛直状態に支持された状態で使用することができる（図１の二点鎖線参照）。容器２１は、上部開口２１ａを有し、装飾部１２は、外径が開口２１ａの内径よりも大きく形成されており、点灯ユニット１１及び連結部材１６が容器２１内に挿入されるようになっている。なお、容器２１は、花瓶状に限定されない。
【００２４】
前記点灯仏具１によれば、装飾部１２に向けて発光する発光素子１３の位置を、スライドさせて変更するようにしているので、装飾部１２と発光素子１３との距離を変化させることができ、それにより装飾部１２を通じての光の拡散の程度を変更することが可能となる。よって、発光素子１３の位置によって装飾部１２を通じての発光態様が異なり、装飾的な照明効果を変化させることができる。よって、電子ろうそくなどによる照明効果とは全く異なる装飾的な照明効果が得られる。
【００２５】
また、電源として乾電池１４を利用しているので、電源コードなどが必要なくなり、構造を簡単にでき、容器２１を加工することなく、点灯ユニット１１を容器２１に対しても挿入することができる。とくに、装飾的な容器２１との組み合わせで、装飾的な照明効果を高めることが容易になる。
【００２６】
装飾部１２は蓮の花の形状をしているので、仏具としての機能を損なうことなく、電子ろうそくなどによる照明効果とは全く異なる装飾的な照明効果を高めることができる。
【００２７】
前記実施の形態では、装飾部１２を蓮の花の形状としているが、本考案はそれに限定されるものではなく、仏具としての装飾的な照明効果が得られるのであれば、他の形状とすることができる。
【符号の説明】
【００２８】
１  点灯仏具
１１  点灯ユニット
１１Ａ  外筒
１１Ａａ  長穴
１１Ｂ  内筒
１１Ｂａ  ピン
１２  装飾部
１３  発光素子
１４  乾電池
１５  スイッチ
１６  連結部材
２１  容器
２１ａ  上部開口
【図１】
0003216574.tif 000003
【図２】
0003216574.tif 000004
【図３】
0003216574.tif 000005